(57)【要約】【課題】通気性に優れた使い捨ておむつを提供する。【解決手段】パンツ形状の外装部材２の股部に吸収性本体７が設けられた使い捨ておむつであって、外装部材２の内側シート５と外側シート６は、股部に形成された中間接着領域１６とそれより前側の前側接着領域１４とそれより後側の後側接着領域１５とで互いに接着され、中間接着領域１６より前側に前側非接着部１７が幅方向ｘと前後方向ｙに延びるように形成され、幅方向ｘに延びる前側非接着部１７が、前後方向ｙに延びる前側非接着部１７と連結するとともに、前側脚部弾性部材２２Ｆを横切って外装部材２の外縁まで延びている、および／または、中間接着領域１６より後側に後側非接着部１８が幅方向ｘと前後方向ｙに延びるように形成され、幅方向ｘに延びる後側非接着部１８が、前後方向ｙに延びる後側非接着部１８と連結するとともに、後側脚部弾性部材２２Ｂを横切って外装部材２の外縁まで延びている。【選択図】図４
2020058697.tif 000002
【特許請求の範囲】
【請求項１】
前側胴部と後側胴部とこれらの間に位置する股部を有し、前側胴部と後側胴部とが接合されることによりウェスト開口部と一対の脚開口部とを有するパンツ形状に形成された外装部材と、
外装部材の少なくとも股部に設けられ、トップシートとバックシートとこれらの間に配された吸収体を有する吸収性本体とを有する使い捨ておむつであって、
外装部材は内側シートと外側シートを有し、内側シートと外側シートの間に、股部を横断し、脚開口部の前側の縁に沿って延びる前側脚部弾性部材と、股部を横断し、脚開口部の後側の縁に沿って延びる後側脚部弾性部材とが設けられ、
内側シートと外側シートは、股部に形成された中間接着領域と、中間接着領域よりも前側に形成された前側接着領域と、中間接着領域よりも後側に形成された後側接着領域とで互いに接着され、中間接着領域において前側脚部弾性部材と後側脚部弾性部材が股部を横断して設けられており、
中間接着領域は、外装部材の幅方向の一方側の外縁から他方側の外縁にかけて、幅方向に連続的に設けられ、
前側接着領域が下記要件Ａを満たすように設けられている、および／または、後側接着領域が下記要件Ｂを満たすように設けられていることを特徴とする使い捨ておむつ。
（要件Ａ）
前側接着領域は、外装部材の幅方向の一方側の外縁から他方側の外縁にかけて、幅方向に断続的に設けられ、
中間接着領域の前側端より前側かつ前側接着領域の前側端より後側に、内側シートと外側シートとが接着されない前側非接着部が、幅方向および前後方向に延びるように形成され、
幅方向に延びる前側非接着部が、前後方向に延びる前側非接着部と連結するとともに、前側脚部弾性部材を横切って外装部材の外縁まで延びている。
（要件Ｂ）
後側接着領域は、外装部材の幅方向の一方側の外縁から他方側の外縁にかけて、幅方向に断続的に設けられ、
中間接着領域の後側端より後側かつ後側接着領域の後側端より前側に、内側シートと外側シートとが接着されない後側非接着部が、幅方向および前後方向に延びるように形成され、
幅方向に延びる後側非接着部が、前後方向に延びる後側非接着部と連結するとともに、後側脚部弾性部材を横切って外装部材の外縁まで延びている。
【請求項２】
前側脚部弾性部材と後側脚部弾性部材は、中間接着領域で股部を断続的に横断して設けられている請求項１に記載の使い捨ておむつ。
【請求項３】
前後方向に延びる前側非接着部は、吸収性本体と重なって設けられている、および／または、
前後方向に延びる後側非接着部は、吸収性本体と重なって設けられている請求項１または２に記載の使い捨ておむつ。
【請求項４】
前側接着領域は吸収性本体と重なって設けられ、吸収性本体の前側端よりも前方に延在している、および／または、
後側接着領域は吸収性本体と重なって設けられ、吸収性本体の後側端よりも後方に延在している請求項１〜３のいずれか一項に記載の使い捨ておむつ。
【請求項５】
前側胴部と後側胴部には、内側シートと外側シートの間に、幅方向に延びる胴部弾性部材が設けられ、
前側接着領域および／または後側接着領域は胴部弾性部材から離間して設けられ、前側接着領域および／または後側接着領域と胴部弾性部材との間に、内側シートと外側シートが接着されない非接着部が形成されている請求項１〜４のいずれか一項に記載の使い捨ておむつ。
【請求項６】
中間接着領域は、前側脚部弾性部材と後側脚部弾性部材の間で前後方向に断続的に設けられ、内側シートと外側シートとが接着されない中間非接着部が幅方向に延びるように形成されている請求項１〜５のいずれか一項に記載の使い捨ておむつ。
【請求項７】
幅方向に延びる前側非接着部、幅方向に延びる後側非接着部、および幅方向に延びる中間非接着部は、２ｍｍ以上１０ｍｍ以下の幅で形成されている請求項１〜６のいずれか一項に記載の使い捨ておむつ。
【請求項８】
前後方向に延びる前側非接着部、および前後方向に延びる後側非接着部は、１５ｍｍ以上の幅で形成されている請求項１〜７のいずれか一項に記載の使い捨ておむつ。
【請求項９】
吸収性本体の外面側は外装部材に部分的に接着され、吸収性本体が外装部材に接着されない吸収性本体非接着部が、前側非接着部および／または後側非接着部と重なって、前後方向に延びるように形成されている請求項１〜８のいずれか一項に記載の使い捨ておむつ。
【請求項１０】
前側接着領域および／または後側接着領域は、中間接着領域よりも剛軟度が高い請求項１〜９のいずれか一項に記載の使い捨ておむつ。
【発明の詳細な説明】
【技術分野】
【０００１】
本発明は、パンツ型の使い捨ておむつに関するものである。
【背景技術】
【０００２】
従来、パンツ形状に形成された外装部材と、外装部材の股部に設けられ、トップシートとバックシートの間に吸収体が配された吸収性本体とを有する使い捨ておむつが知られている（例えば、特許文献１〜６）。特許文献６には、外装部材の左右の脚周り開口部に沿って、外装部材を構成する複数のシートの層間に脚周り伸縮材が固定された使い捨ておむつであって、左脚周り開口部形成部および右脚周り開口部形成部の各々の外周に少なくとも３つのブロック状領域に区分して接着剤を塗布し、接着剤が塗布された塗布領域に、左脚周り開口部形成部および右脚周り開口部形成部の各々に沿うように脚周り伸縮材を伸張状態で配置することが開示されている。
【先行技術文献】
【特許文献】
【０００３】
【特許文献１】特開平８−２８０７３９号公報
【特許文献２】特開２００４−０４９７６３号公報
【特許文献３】特開２００４−２９８３９５号公報
【特許文献４】特開２００５−０８７６２２号公報
【特許文献５】特開２０１４−１８０３４６号公報
【特許文献６】特開２００９−１８９６２１号公報
【発明の概要】
【発明が解決しようとする課題】
【０００４】
使い捨ておむつは比較的長い時間着用されることから、着用感を向上させるために、着用者から発せられた汗や蒸れなどがおむつの外に好適に排出されることが望まれる。本発明は前記事情に鑑みてなされたものであり、その目的は、通気性に優れた使い捨ておむつを提供することにある。
【課題を解決するための手段】
【０００５】
前記課題を解決することができた本発明の使い捨ておむつとは、前側胴部と後側胴部とこれらの間に位置する股部を有し、前側胴部と後側胴部とが接合されることによりウェスト開口部と一対の脚開口部とを有するパンツ形状に形成された外装部材と、外装部材の少なくとも股部に設けられ、トップシートとバックシートとこれらの間に配された吸収体を有する吸収性本体とを有する使い捨ておむつであって；外装部材は内側シートと外側シートを有し、内側シートと外側シートの間に、股部を横断し、脚開口部の前側の縁に沿って延びる前側脚部弾性部材と、股部を横断し、脚開口部の後側の縁に沿って延びる後側脚部弾性部材とが設けられ；内側シートと外側シートは、股部に形成された中間接着領域と、中間接着領域よりも前側に形成された前側接着領域と、中間接着領域よりも後側に形成された後側接着領域とで互いに接着され、中間接着領域において前側脚部弾性部材と後側脚部弾性部材が股部を横断して設けられており；中間接着領域は、外装部材の幅方向の一方側の外縁から他方側の外縁にかけて、幅方向に連続的に設けられ；前側接着領域が下記要件Ａを満たすように設けられている、および／または、後側接着領域が下記要件Ｂを満たすように設けられているところに特徴を有する。
【０００６】
（要件Ａ）前側接着領域は、外装部材の幅方向の一方側の外縁から他方側の外縁にかけて、幅方向に断続的に設けられ、中間接着領域の前側端より前側かつ前側接着領域の前側端より後側に、内側シートと外側シートとが接着されない前側非接着部が幅方向および前後方向に延びるように形成され、幅方向に延びる前側非接着部が、前後方向に延びる前側非接着部と連結するとともに、前側脚部弾性部材を横切って外装部材の外縁まで延びている。
【０００７】
（要件Ｂ）後側接着領域は、外装部材の幅方向の一方側の外縁から他方側の外縁にかけて、幅方向に断続的に設けられ、中間接着領域の後側端より後側かつ後側接着領域の後側端より前側に、内側シートと外側シートとが接着されない後側非接着部が幅方向および前後方向に延びるように形成され、幅方向に延びる後側非接着部が、前後方向に延びる後側非接着部と連結するとともに、後側脚部弾性部材を横切って外装部材の外縁まで延びている。
【０００８】
本発明の使い捨ておむつは、外装部材の内側シートと外側シートが前側接着領域、中間接着領域、後側接着領域で互いに接着され、これらの接着領域で脚部弾性部材が内側シートおよび／または外側シートに接着固定される。そして、中間接着領域の前側端より前側かつ前側接着領域の前側端より後側に、前側非接着部が幅方向と前後方向に延びるように形成され、および／または、中間接着領域の後側端より後側かつ後側接着領域の後側端より前側に、後側非接着部が幅方向と前後方向に延びるように形成されることにより、外装部材の通気性を高めることができる。そのため、着用者から汗や蒸れなどが、前側非接着部や後側非接着部を通っておむつの外に好適に排出されやすくなる。
【０００９】
前側脚部弾性部材と後側脚部弾性部材は、中間接着領域で股部を断続的に横断して設けられていることが好ましい。このように前側脚部弾性部材と後側脚部弾性部材が設けられれば、吸収性本体が前側脚部弾性部材と後側脚部弾性部材の収縮力によって歪みにくくなり、吸収性本体の着用者の股間でのフィット性を高めることができる。
【００１０】
前後方向に延びる前側非接着部は、吸収性本体と重なって設けられている、および／または、前後方向に延びる後側非接着部は、吸収性本体と重なって設けられていることが好ましい。このように前側非接着部および／または後側非接着部が形成されることにより、おむつ内部に溜まった湿気がおむつの上方に排出されやすくなり、外装部材と吸収性本体が重なる部分での通気性を高めることができる。吸収性本体のバックシートが透湿性である場合は、吸収性本体に尿等が吸収された後、水分が湿気となって透湿性のバックシートを透過して前側非接着部および／または後側非接着部を通ることにより、おむつの外に好適に排出されやすくなる。
【００１１】
前側接着領域は吸収性本体と重なって設けられ、吸収性本体の前側端よりも前方に延在している、および／または、後側接着領域は吸収性本体と重なって設けられ、吸収性本体の後側端よりも後方に延在していることが好ましい。このように前側接着領域や後側接着領域が設けられていれば、吸収性本体の前後方向の端部が外装部材に対してずれにくくなり、おむつを着用した際に、吸収性本体が着用者の股間部で適切に位置決めされやすくなる。
【００１２】
前側胴部と後側胴部には、内側シートと外側シートの間に、幅方向に延びる胴部弾性部材が設けられ、前側接着領域および／または後側接着領域は胴部弾性部材から離間して設けられ、前側接着領域および／または後側接着領域と胴部弾性部材との間に、内側シートと外側シートが接着されない非接着部が形成されていることが好ましい。このように非接着部を設けることにより、外装部材の通気性をさらに高めることができる。
【００１３】
中間接着領域は、前側脚部弾性部材と後側脚部弾性部材の間で前後方向に断続的に設けられ、内側シートと外側シートとが接着されない中間非接着部が幅方向に延びるように形成されていることが好ましい。このように中間接着領域に中間非接着部を設けることにより、外装部材の股部での通気性を高めることができる。
【００１４】
幅方向に延びる前側非接着部、幅方向に延びる後側非接着部、および幅方向に延びる中間非接着部は、２ｍｍ以上１０ｍｍ以下の幅で形成されていることが好ましい。このように各接着部を設けることにより、外装部材の通気性を高めるとともに、前側脚部弾性部材と後側脚部弾性部材を内側シートおよび／または外側シートに安定して接着固定しやすくなる。
【００１５】
前後方向に延びる前側非接着部、および前後方向に延びる後側非接着部は、１５ｍｍ以上の幅で形成されていることが好ましい。このように前後方向に延びる前側非接着部と前後方向に延びる後側非接着部が形成されていれば、おむつ着用の際に、おむつ内部に溜まった湿気がこれらの各接着部を通しておむつの上方に排出されやすくなる。
【００１６】
吸収性本体の外面側は外装部材に部分的に接着され、吸収性本体が外装部材に接着されない吸収性本体非接着部が、前側非接着部および／または後側非接着部と重なって、前後方向に延びるように形成されていることが好ましい。吸収性本体非接着部が前側非接着部および／または後側非接着部と重なって設けられることにより、おむつ内部に溜まった湿気がおむつの外により排出されやすくなる。
【００１７】
前側接着領域および／または後側接着領域は、中間接着領域よりも剛軟度が高いことが好ましい。これにより外装部材の股部が軟らかく形成され、使い捨ておむつの着用感を向上させることができる。
【発明の効果】
【００１８】
本発明の使い捨ておむつは、外装部材の内側シートと外側シートが前側接着領域、中間接着領域、後側接着領域で互いに接着され、中間接着領域の前側端より前側かつ前側接着領域の前側端より後側に、前側非接着部が幅方向と前後方向に延びるように形成され、および／または、中間接着領域の後側端より後側かつ後側接着領域の後側端より前側に、後側非接着部が幅方向と前後方向に延びるように形成されている。そのため、着用者から汗や蒸れなどが、前側非接着部や後側非接着部を通っておむつの外に好適に排出されやすくなり、外装部材の通気性を高めることができる。
【図面の簡単な説明】
【００１９】
【図１】使い捨ておむつの斜視図を表す。
【図２】図１に示した使い捨ておむつの前側胴部と後側胴部との接合を解いて展開した状態を肌面側から見た平面図を表す。
【図３】図２に示した使い捨ておむつのＩＩＩ−ＩＩＩ断面図を表す。
【図４】使い捨ておむつの外装部材を肌面側から見た平面図を表し、外装部材の内側シートと外側シートが接着される接着領域の形成例が示されている。
【図５】使い捨ておむつの外装部材を肌面側から見た平面図を表し、外装部材の内側シートと外側シートが接着される接着領域の他の形成例が示されている。
【図６】使い捨ておむつの外装部材を肌面側から見た平面図を表し、外装部材に吸収性本体が接着される接着領域の形成例が示されている。
【図７】使い捨ておむつの外装部材を肌面側から見た平面図を表し、外装部材に吸収性本体が接着される接着領域の他の形成例が示されている。
【発明を実施するための形態】
【００２０】
本発明の使い捨ておむつについて、図面を参照して説明する。なお本発明は、図面に示された実施態様に限定されるものではない。図１〜図３には、本発明の使い捨ておむつの一例を示した。図１は使い捨ておむつの斜視図を表し、図２は、図１に示した使い捨ておむつの前側胴部と後側胴部との接合を解いて平面に展開した状態を肌面側から見た図を表し、図３は、図２に示した使い捨ておむつのＩＩＩ−ＩＩＩ断面図を表す。なお図面では、矢印ｘが幅方向、矢印ｙが前後方向を表し、矢印ｘ，ｙにより形成される面に対して垂直方向が厚み方向ｚを表す。
【００２１】
使い捨ておむつ１は、前側胴部Ｐと後側胴部Ｑとこれらの間に位置する股部Ｒとから構成された外装部材２を有する。外装部材２は、前側胴部Ｐと後側胴部Ｑとが接合されることにより、ウェスト開口部３と一対の脚開口部４を有するパンツ形状に形成されている。ウェスト開口部３は着用者の胴を通すための開口であり、脚開口部４は着用者の脚を通すための開口である。
【００２２】
外装部材２において、前側胴部Ｐは、おむつを着用の際に着用者の腹側に当てる部分に相当し、後側胴部Ｑは、おむつを着用の際に着用者の背側に当てる部分に相当する。前側胴部Ｐと後側胴部Ｑは、外装部材２の前後方向ｙにおいて、パンツ形状に形成された状態で幅方向ｘの両側で互いに接合される。股部Ｒは、前側胴部Ｐと後側胴部Ｑとの間に位置し、着用者の股間に当てる部分に相当する。股部Ｒは、外装部材２を前後方向ｙに３分割した中間に位置する部分であり、パンツ形状に形成された状態で幅方向ｘの両側で互いに接合されない。外装部材２は、前側胴部Ｐと後側胴部Ｑとを幅方向ｘの両側のサイド接合部１１で接合することにより、パンツ形状に形成される。
【００２３】
使い捨ておむつ１において、前後方向ｙとは、前側胴部Ｐから後側胴部Ｑにかけての方向を意味し、おむつを着用した際の着用者の股間の前後方向に相当する。前側胴部Ｐ側が使い捨ておむつ１の前側となり、後側胴部Ｑが使い捨ておむつ１の後側となる。幅方向ｘとは、おむつを着用した際の着用者の左右方向に相当する。使い捨ておむつの肌面側とは、おむつを着用した際、着用者の肌に向く側を意味する。使い捨ておむつの外面側とは、おむつを着用した際、着用者とは反対を向く側を意味する。
【００２４】
外装部材２の股部Ｒには、吸収性本体７が設けられる。吸収性本体７は、トップシート８とバックシート９とこれらの間に配された吸収体１０を有する（図３を参照）。トップシート８は、おむつを着用の際に着用者側に位置するシートであり、吸収体１０の肌面側に配される。トップシート８は液透過性であることが好ましい。バックシート９は、おむつを着用の際に着用者とは反対側に位置するシートであり、吸収体１０の外面側に配される。バックシート９は液不透過性であることが好ましい。着用者から排泄された尿等はトップシート８を透過して吸収体１０により収容され、バックシート９は排泄物が外部へ漏れるのを防ぐ。
【００２５】
液透過性のトップシートとしては、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、有孔プラスチックフィルム等を用いてもよい。
【００２６】
液不透過性のバックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。バックシートは２以上のシートの積層体から構成されていてもよく、例えば、不織布とプラスチックフィルムとの積層体を用いてもよい。この場合、積層体を構成する各シートは同じ大きさであっても異なる大きさであってもよい。バックシートは、液不透過性であって、かつ透湿性であってもよい。
【００２７】
吸収体は、尿等の排泄物を吸収できる吸収性材料を含むものであれば特に限定されない。吸収体としては、例えば、吸収性材料を所定形状に成形した成形体を用いることができる。吸収体は、紙シート（例えば、ティッシュペーパーや薄葉紙）や液透過性不織布等の被覆シートで覆われてもよい。吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等との親和性を高めるために、界面活性剤等により親水化処理がされていてもよい。吸収性材料は、吸収容量を高める点から、少なくとも吸水性樹脂を含むことが好ましい。
【００２８】
吸収体は、不織布シート間に吸水性樹脂を有しパルプ繊維を有しないように構成された吸収シートを有するものであってもよい。このように構成された吸収シートは、不織布シート間に吸水性樹脂を有するため、高い吸収容量を実現できるとともに、不織布シート間にパルプ繊維を有しないため、嵩張らず薄型に形成することができる。
【００２９】
吸収体は、吸収性材料として吸水性繊維を用いたものであってもよい。この場合もまた、薄型に形成された吸収体とすることができる。吸水性繊維としては、プロトン化または塩形成したカルボキシル基を含有する繊維が挙げられる。例えば、アクリル繊維を加水分解して、アクリル繊維に含まれるニトリル基をカルボキシル基に変換することにより、吸水性繊維を得ることができる。このとき、吸水性繊維に含まれるカルボキシル基は、アルカリ金属塩またはアンモニア塩を形成していることが好ましい。また吸水性繊維は、親水性繊維をアクリル酸に浸漬し、繊維表面でアクリル酸を析出させることにより製造することができる。
【００３０】
吸収体１０の形状（平面形状）は特に限定されない。吸収体１０の形状としては、例えば、略長方形、砂時計形、ひょうたん形、羽子板形等が挙げられる。図面では、吸収体１０は略長方形に形成されている。
【００３１】
吸収性本体７には、肌面側の幅方向ｘの両側に立ち上がりフラップ１２が設けられることが好ましい（図２および図３を参照）。立ち上がりフラップ１２を設けることにより、尿等の排泄物の横漏れを防ぐことができる。立ち上がりフラップ１２が立ち上がった状態の上端部（着用者側の端部）には、起立用弾性部材１３が設けられることが好ましい。起立用弾性部材１３の収縮力により、立ち上がりフラップ１２が起立しやすくなる。
【００３２】
外装部材２は、肌面側に配された内側シート５と、外面側に配された外側シート６とを有する。内側シート５の肌面側には、吸収性本体７が設けられる。外側シート６は、その外面側が、おむつの外側に面するように設けられる。内側シート５と外側シート６はそれぞれ、前側胴部Ｐと後側胴部Ｑと股部Ｒを有するように構成されている。内側シート５と外側シート６は液透過性であっても液不透過性であってもよく、トップシート８やバックシート９に使用可能なシート材料を用いることができる。内側シート５と外側シート６は透湿性であることが好ましく、これにより外装部材２の着用感を向上させることができる。
【００３３】
上記説明したトップシート、バックシート、外側シート、内側シート等のシート材料として不織布を用いる場合、不織布としては、スパンボンド不織布、エアスルー不織布、ポイントボンド不織布、メルトブロー不織布、ＳＭＳ不織布等を用いることが好ましく、これにより薄くて丈夫なシートを容易に得ることができる。
【００３４】
外装部材２には、内側シート５と外側シート６の間に、脚開口部４の縁に沿って、脚部弾性部材２２が設けられる。脚部弾性部材２２は、股部Ｒを横断し、脚開口部４の前側の縁に沿って設けられる前側脚部弾性部材２２Ｆと、股部Ｒを横断し、脚開口部４の後側の縁に沿って設けられる後側脚部弾性部材２２Ｂとから構成される。前側脚部弾性部材２２Ｆと後側脚部弾性部材２２Ｂとにより、脚開口部４の縁のほぼ全周にわたり弾性部材が設けられ、着用者の脚周りに沿ったレッグギャザーが形成され、股部からの尿等の漏れが防止される。
【００３５】
外装部材２の前側胴部Ｐと後側胴部Ｑには、内側シート５と外側シート６の間に、幅方向ｘに延びる複数の胴部弾性部材２３が設けられることが好ましい。胴部弾性部材２３は、ウェスト開口部３と脚開口部４の間に設けられる。胴部弾性部材２３により、着用者の胴周りのフィット性が高められる。なお、胴部弾性部材２３のうち、ウェスト開口部３の縁に沿って前後方向ｙに狭い間隔で設けられる弾性部材を腰部弾性部材２４として設けてもよく、これにより着用者の腰周りに沿ったウェストギャザーが形成され、背中側や腹部側からの尿等の排泄物の漏れが防止される。図１および図２では、腰部弾性部材２４は胴部弾性部材２３よりも前後方向ｙに狭い間隔で設けられている。
【００３６】
外装部材２は、ウェスト開口部３の縁に沿って折り返されていてもよい。例えば、外側シート６が外装部材２のウェスト開口部３の縁で内側シート５側に折り返されていてもよい（図示せず）。この場合、腰部弾性部材２４は、折り返された外側シート６間に挟まれて、外側シート６に接着されていてもよい。
【００３７】
使い捨ておむつ１に設けられる各弾性部材としては、ポリウレタン糸、ポリウレタンフィルム、天然ゴム等の通常の使い捨ておむつに用いられる弾性伸縮材料を用いることができる。各弾性部材は、伸張状態でおむつに固定されることが好ましく、また、ホットメルト接着剤等の接着剤で固定されることが好ましい。例えば、繊度４０〜１，２４０ｄｔｅｘのポリウレタン糸を、倍率１．１〜５．０倍に伸張して配設し、固定する。接着剤としては、ゴム系のホットメルト接着剤を用いることが好ましい。なお、前記倍率は、非伸張状態を１．０倍とする。
【００３８】
外装部材２は、内側シート５と外側シート６が所定の接着領域で互いに接着されている。これについて図４を参照して説明する。図４には、外装部材２を肌面側から見た平面図が示されており、外装部材２の内側シート５と外側シート６が接着される接着領域がクロスハッチングで示され、外装部材２に設置される吸収性本体７の外縁が一点鎖線で示されている。
【００３９】
内側シート５と外側シート６は、股部Ｒに形成された中間接着領域１６と、中間接着領域１６よりも前側に形成された前側接着領域１４と、中間接着領域１６よりも後側に形成された後側接着領域１５とで互いに接着されている。前側接着領域１４と中間接着領域１６と後側接着領域１５は外装部材２を前後方向ｙに区分することによって規定される。前側接着領域１４と中間接着領域１６と後側接着領域１５は、吸収性本体７と重なって設けられることが好ましい。
【００４０】
中間接着領域１６は、外装部材２の幅方向ｘの一方側の外縁から他方側の外縁にかけて、幅方向ｘに連続的に設けられ、前側脚部弾性部材２２Ｆと後側脚部弾性部材２２Ｂが中間接着領域１６で股部Ｒを横断して設けられている。中間接着領域１６により、前側脚部弾性部材２２Ｆと後側脚部弾性部材２２Ｂの股部Ｒを横断する部分が、内側シート５および／または外側シート６に接着固定される。また、後述するように、前側脚部弾性部材２２Ｆと後側脚部弾性部材２２Ｂが股部Ｒを断続的に横断するように設けられる場合は、前側脚部弾性部材２２Ｆと後側脚部弾性部材２２Ｂの断片が遊離しないことによって、おむつの見栄えを良くすることができる。
【００４１】
前側接着領域１４は、中間接着領域１６よりも前側に設けられ、外装部材２の幅方向ｘの一方側の外縁から他方側の外縁にかけて、幅方向ｘに断続的に設けられている。前側接着領域１４は、前後方向ｙにも断続的に設けられていてもよい。前側接着領域１４により、前側脚部弾性部材２２Ｆの脚開口部４の縁に沿って延びる部分が、内側シート５および／または外側シート６に接着固定される。前側接着領域１４は、股部Ｒから前側胴部Ｐにかけて設けられることが好ましい。
【００４２】
後側接着領域１５は、中間接着領域１６よりも後側に設けられ、外装部材２の幅方向ｘの一方側の外縁から他方側の外縁にかけて、幅方向ｘに断続的に設けられている。後側接着領域１５は、前後方向ｙにも断続的に設けられていてもよい。後側接着領域１５により、後側脚部弾性部材２２Ｂの脚開口部４の縁に沿って延びる部分が、内側シート５および／または外側シート６に接着固定される。後側接着領域１５は、股部Ｒから後側胴部Ｑにかけて設けられることが好ましい。
【００４３】
外装部材２には、中間接着領域１６の前側端より前側かつ前側接着領域１４の前側端より後側に、内側シート５と外側シート６とが接着されない前側非接着部１７が形成される。また、中間接着領域１６の後側端より後側かつ後側接着領域１５の後側端より前側に、内側シート５と外側シート６とが接着されない後側非接着部１８が形成される。前側非接着部１７は、幅方向ｘおよび前後方向ｙに延びるように形成され、幅方向ｘに延びる前側非接着部１７が、前後方向ｙに延びる前側非接着部１７と連結するとともに、前側脚部弾性部材２２Ｆを横切って外装部材２の外縁まで延びている。後側非接着部１８は、幅方向ｘおよび前後方向ｙに延びるように形成され、幅方向ｘに延びる後側非接着部１８が、前後方向ｙに延びる後側非接着部１８と連結するとともに、後側脚部弾性部材２２Ｂを横切って外装部材２の外縁まで延びている。このように前側非接着部１７と後側非接着部１８が形成されることにより、着用者から汗や蒸れなどが前側非接着部１７や後側非接着部１８を通っておむつの外に好適に排出されやすくなり、外装部材２の通気性を高めることができる。
【００４４】
使い捨ておむつ１は、前側接着領域１４と後側接着領域１５の両方が上記のように設けられていることが好ましいが、前側接着領域１４のみ、あるいは後側接着領域１５のみが、上記のように設けられていてもよい。また、前側非接着部１７と後側非接着部１８の両方が上記のように設けられていることが好ましいが、前側非接着部１７のみ、あるいは後側非接着部１８のみが、上記のように設けられていてもよい。
【００４５】
前後方向ｙに延びる前側非接着部１７と後側非接着部１８は、前側接着領域１４と後側接着領域１５を幅方向ｘに断続的に設けることにより形成することができる。幅方向ｘに延びる前側非接着部１７と後側非接着部１８は、前側接着領域１４と後側接着領域１５を前後方向ｙに断続的に設けたり、前側接着領域１４と後側接着領域１５を中間接着領域１６から前後方向ｙに離間して設けることにより形成することができる。図４では、幅方向ｘに延びる前側非接着部１７が、前側接着領域１４を中間接着領域１６から前後方向ｙに離間して設けることにより形成されており、幅方向ｘに延びる後側非接着部１８が、後側接着領域１５を前後方向ｙに断続的に設けるとともに、後側接着領域１５を中間接着領域１６から前後方向ｙに離間して設けることにより形成されている。
【００４６】
外装部材２の通気性を高める点からは、幅方向ｘに延びる前側非接着部１７が、外装部材２の股部Ｒを幅方向ｘに横切って、外装部材２の一方側の外縁から他方側の外縁まで延びるように設けられることが好ましい。すなわち、前側非接着部１７は、外装部材２の一方側の外縁から他方側の外縁まで幅方向ｘにまっすぐ延びるように設けられることが好ましい。また、このような前側非接着部１７が前後方向ｙの異なる位置に２以上設けられることがより好ましい。同様に、幅方向ｘに延びる後側非接着部１８は、外装部材２の股部Ｒを幅方向ｘに横切って、外装部材２の一方側の外縁から他方側の外縁まで延びるように設けられることが好ましい。すなわち、後側非接着部１８は、外装部材２の一方側の外縁から他方側の外縁まで幅方向ｘにまっすぐ延びるように設けられることが好ましい。また、このような後側非接着部１８が前後方向ｙの異なる位置に２以上設けられることがより好ましい。なお、幅方向ｘに延びる前側非接着部１７と幅方向ｘに延びる後側非接着部１８は、股部Ｒのみに設けられることが好ましく、前側胴部Ｐや後側胴部Ｑには設けられないことが好ましい。
【００４７】
幅方向ｘに延びる前側非接着部１７は、吸収性本体７と重なって設けられることが好ましい。また、幅方向ｘに延びる後側非接着部１８は、吸収性本体７と重なって設けられることが好ましい。使い捨ておむつ１は、外装部材２と吸収性本体７が重なる部分で特に通気性が悪くなるが、このように前側非接着部１７および／または後側非接着部１８が形成されることにより、外装部材２と吸収性本体７が重なる部分での通気性を高めることができる。また、吸収性本体７のバックシート９が透湿性である場合は、吸収性本体７に尿等が吸収された後、水分が湿気となって透湿性のバックシート９を透過して前側非接着部１７または後側非接着部１８を通ることにより、おむつの外に好適に排出されやすくなる。
【００４８】
前後方向ｙに延びる前側非接着部１７は、前側接着領域１４の全体を横切って設けられることが好ましい。すなわち、前側非接着部１７は、前側接着領域１４の全体を横切って前後方向ｙにまっすぐ延びるように設けられることが好ましい。前後方向ｙに延びる後側非接着部１８は、後側接着領域１５の全体を横切って設けられることが好ましい。すなわち、後側非接着部１８は、後側接着領域１５の全体を横切って前後方向ｙにまっすぐ延びるように設けられることが好ましい。これにより外装部材２の通気性をより高めることができる。
【００４９】
前後方向ｙに延びる前側非接着部１７は、吸収性本体７と重なって設けられることが好ましい。また、前後方向ｙに延びる後側非接着部１８は、吸収性本体７と重なって設けられることが好ましい。このように前側非接着部１７および／または後側非接着部１８が形成されることにより、おむつ内部に溜まった湿気がおむつの上方に排出されやすくなり、外装部材２と吸収性本体７が重なる部分での通気性を高めることができる。また、吸収性本体７のバックシート９が透湿性である場合は、吸収性本体７に尿等が吸収された後、水分が湿気となって透湿性のバックシート９を透過して前側非接着部１７または後側非接着部１８を通ることにより、おむつの外に好適に排出されやすくなる。
【００５０】
前後方向ｙに延びる前側非接着部１７と前後方向ｙに延びる後側非接着部１８が吸収性本体７と重なる部分において、前後方向ｙに延びる前側非接着部１７の幅方向ｘの長さ（複数ある場合はその合計長さ）と前後方向ｙに延びる後側非接着部１８の幅方向ｘの長さ（複数ある場合はその合計長さ）は、吸収性本体７の幅方向ｘの長さの１０％以上となることが好ましく、１５％以上がより好ましい。これにより、外装部材２の通気性を高めやすくなる。一方、おむつを着用した際に、吸収性本体７が外装部材２に対してずれにくくする点から、前後方向ｙに延びる前側非接着部１７と前後方向ｙに延びる後側非接着部１８が吸収性本体７と重なる部分において、前後方向ｙに延びる前側非接着部１７の幅方向ｘの長さと前後方向ｙに延びる後側非接着部１８の幅方向ｘの長さは、吸収性本体７の幅方向ｘの長さの８０％以下が好ましく、７０％以下がより好ましい。
【００５１】
前後方向ｙに延びる前側非接着部１７の幅方向ｘの長さ（複数ある場合はその合計長さ）と前後方向ｙに延びる後側非接着部１８の幅方向ｘの長さ（複数ある場合はその合計長さ）は、互いに同じであっても異なっていてもよいが、前後方向ｙに延びる前側非接着部１７の幅方向ｘの長さの方が前後方向ｙに延びる後側非接着部１８の幅方向ｘの長さよりも長いことが好ましい。これにより、より多くの尿が溜まりやすいおむつの前側での通気性を高めることができる。
【００５２】
前後方向ｙに延びる前側非接着部１７は、前側脚部弾性部材２２Ｆと重なって設けられないことが好ましい。前後方向ｙに延びる後側非接着部１８は、後側脚部弾性部材２２Ｂと重なって設けられないことが好ましい。このように前側非接着部１７と後側非接着部１８を設けることにより、前側脚部弾性部材２２Ｆまたは後側脚部弾性部材２２Ｂが前側接着領域１４または後側接着領域１５により好適に接着固定され、着用者の脚周りに沿ったレッグギャザーが好適に形成されやすくなる。
【００５３】
前側接着領域１４は少なくとも一部が吸収性本体７と重なって設けられ、吸収性本体７の前側端よりも前方に延在して設けられることが好ましい。また、後側接着領域１５は少なくとも一部が吸収性本体７と重なって設けられ、吸収性本体７の後側端よりも後方に延在して設けられることが好ましい。このように前側接着領域１４や後側接着領域１５が設けられていれば、吸収性本体７の前後方向ｙの端部が外装部材２（特に外側シート６）に対してずれにくくなり、おむつを着用した際に、吸収性本体７が着用者の股間部で適切に位置決めされやすくなる。
【００５４】
前側非接着部１７と後側非接着部１８の各幅は特に限定されないが、前後方向ｙに延びる前側非接着部１７の幅が幅方向ｘに延びる前側非接着部１７の幅よりも広いことが好ましく、前後方向ｙに延びる後側非接着部１８の幅が幅方向ｘに延びる後側非接着部１８の幅よりも広いことが好ましい。これにより、おむつ着用の際に、おむつ内部に溜まった湿気が、前後方向ｙに延びる前側非接着部１７または前後方向ｙに延びる後側非接着部１８を通しておむつの上方に排出されやすくなる。
【００５５】
幅方向ｘに延びる前側非接着部１７および幅方向ｘに延びる後側非接着部１８は、２ｍｍ以上１０ｍｍ以下の幅で形成されていることが好ましい。当該幅は、３ｍｍ以上がより好ましく、４ｍｍ以上がさらに好ましく、また８ｍｍ以下がより好ましく、７ｍｍ以下がさらに好ましい。幅方向ｘに延びる前側非接着部１７の幅と幅方向ｘに延びる後側非接着部１８の幅を２ｍｍ以上とすることで、外装部材２の通気性を高めやすくなる。一方、当該幅を１０ｍｍ以下とすることで、前側脚部弾性部材２２Ｆまたは後側脚部弾性部材２２Ｂが前側接着領域１４または後側接着領域１５により好適に内側シート５および／または外側シート６に接着固定され、着用者の脚周りに沿ったレッグギャザーが好適に形成されやすくなる。
【００５６】
前後方向ｙに延びる前側非接着部１７および前後方向ｙに延びる後側非接着部１８は、１５ｍｍ以上の幅で形成されていることが好ましく、２０ｍｍ以上がより好ましく、２５ｍｍ以上がさらに好ましい。このように前後方向ｙに延びる前側非接着部１７と前後方向ｙに延びる後側非接着部１８が形成されていれば、おむつ着用の際に、おむつ内部に溜まった湿気が前後方向ｙに延びる前側非接着部１７または前後方向ｙに延びる後側非接着部１８を通しておむつの上方に排出されやすくなる。前後方向ｙに延びる前側非接着部１７と前後方向ｙに延びる後側非接着部１８の幅の上限は特に限定されないが、１５０ｍｍ以下が好ましく、１２０ｍｍ以下がより好ましく、１００ｍｍ以下がさらに好ましい。
【００５７】
外装部材２の中間接着領域１６の前側端より前側かつ前側接着領域１４の前側端より後側の範囲の面積を１００％としたとき、前側非接着部１７の面積は５％以上が好ましく、１０％以上がより好ましく、１５％以上がさらに好ましく、また５０％以下が好ましく、４０％以下がより好ましく、３５％以下がさらに好ましい。外装部材２の中間接着領域１６の後側端より後側かつ後側接着領域１５の後側端より前側の範囲の面積を１００％としたとき、後側非接着部１８の面積は５％以上が好ましく、１０％以上がより好ましく、１５％以上がさらに好ましく、また５０％以下が好ましく、４０％以下がより好ましく、３５％以下がさらに好ましい。これにより前側接着領域１４および後側接着領域１５の面積を確保して、内側シート５と外側シート６とを互いに好適に接着させつつ、前側非接着部１７と後側非接着部１８の面積を確保して、外装部材２の通気性を高めやすくなる。
【００５８】
前側接着領域１４は、前側胴部Ｐのサイド接合部１１から内方に１０ｍｍ以上離れた領域（より好ましくは５ｍｍ以上離れた領域）において、前側脚部弾性部材２２Ｆの全部と重なって設けられることが好ましい。これにより、前側脚部弾性部材２２Ｆの両端部が前側接着領域１４により固定され、前側脚部弾性部材２２Ｆの抜け落ちが起こりにくくなる。後側接着領域１５は、後側胴部Ｑのサイド接合部１１から内方に１０ｍｍ以上離れた領域（より好ましくは５ｍｍ以上離れた領域）において、後側脚部弾性部材２２Ｂの全部と重なって設けられることが好ましい。これにより、後側脚部弾性部材２２Ｂの両端部が後側接着領域１５により固定され、後側脚部弾性部材２２Ｂの抜け落ちが起こりにくくなる。前側接着領域１４および後側接着領域１５は、幅方向ｘに対しては、外装部材２のサイド接合部１１から内方に１０ｍｍ以内の領域（より好ましく５ｍｍ以内の領域）まで延在していることが好ましい。
【００５９】
前側接着領域１４の前側には、前側接着領域１４と隣接して、内側シート５と外側シート６が接着されない非接着部が形成されることが好ましい。また、後側接着領域１５の後側には、後側接着領域１５と隣接して、内側シート５と外側シート６が接着されない非接着部が形成されることが好ましい。これにより外装部材２の通気性をさらに高めることができる。さらに、当該非接着部には、前後方向ｙに延びる前側非接着部１７または前後方向ｙに延びる後側非接着部１８が連結していることが好ましく、これにより、前側非接着部１７や後側非接着部１８を通して、おむつ内部に溜まった湿気がおむつの外により排出されやすくなる。当該非接着部は、外装部材２のサイド接合部１１まで延在していることが好ましい。
【００６０】
外装部材２の前側胴部Ｐと後側胴部Ｑに胴部弾性部材２３が設けられる場合は、前側接着領域１４および／または後側接着領域１５は胴部弾性部材２３から離間して設けられ、前側接着領域１４および／または後側接着領域１５と胴部弾性部材２３との間に、内側シート５と外側シート６が接着されない非接着部が設けられることが好ましい。これにより外装部材２の通気性をさらに高めることができる。さらに、当該非接着部には、前後方向ｙに延びる前側非接着部１７または前後方向ｙに延びる後側非接着部１８が連結していることが好ましく、これにより、前側非接着部１７や後側非接着部１８を通して、おむつ内部に溜まった湿気がおむつの外により排出されやすくなる。当該非接着部は、外装部材２のサイド接合部１１まで延在していることが好ましい。
【００６１】
外装部材２の前側胴部Ｐと後側胴部Ｑに複数の胴部弾性部材２３が設けられる場合は、胴部弾性部材２３が内側シート５と外側シート６に接着され、隣接する胴部弾性部材２３の間に、内側シート５と外側シート６が接着されない非接着部が幅方向ｘに延在して設けられることが好ましい。これにより、前側胴部Ｐと後側胴部Ｑの胴部弾性部材２３が設置された領域でも、外装部材２の通気性を高めることができる。当該非接着部は、外装部材２のサイド接合部１１まで延在していることが好ましい。
【００６２】
中間接着領域１６の前後方向ｙの長さは、前側脚部弾性部材２２Ｆが股部Ｒを横断する部分と後側脚部弾性部材２２Ｂが股部Ｒを横断する部分に重なるように設けられれば、その長さは特に限定されない。なお、中間接着領域１６の前後方向ｙの長さは、吸収性本体７の前後方向ｙの長さの１５％以上であることが好ましく、２０％以上がより好ましく、２５％以上がさらに好ましい。また、前側非接着部１７や後側非接着部１８の前後方向ｙの長さを確保し、外装部材２の通気性を高める点から、中間接着領域１６の前後方向ｙの長さは、吸収性本体７の前後方向ｙの長さの５０％以下であることが好ましく、４５％以下がより好ましく、４０％以下がさらに好ましい。中間接着領域１６の前後方向ｙの長さとは、中間接着領域１６の前側端から後側端までの前後方向ｙの長さを意味する。
【００６３】
前側接着領域１４と後側接着領域１５の吸収性本体７と重なる部分での前後方向ｙの長さはそれぞれ、吸収性本体７の前後方向ｙの長さの１０％以上が好ましく、１５％以上がより好ましく、２０％以上がさらに好ましく、また５０％以下が好ましく、４５％以下がより好ましく、４０％以下がさらに好ましい。前側接着領域１４が吸収性本体７と重なる部分の前後方向ｙの長さとは、前側接着領域１４の後側端から前側端までの前後方向ｙの長さ、または前側接着領域１４の後側端から吸収性本体７の前側端までの前後方向ｙの長さのうちの短い方の長さを意味する。後側接着領域１５が吸収性本体７と重なる部分の前後方向ｙの長さとは、後側接着領域１５の前側端から後側端までの前後方向ｙの長さ、または後側接着領域１５の前側端から吸収性本体７の後側端までの前後方向ｙの長さのうちの短い方の長さを意味する。
【００６４】
前側接着領域１４と後側接着領域１５の前後方向ｙの長さは、互いに同じであっても異なっていてもよいが、後側接着領域１５の方が前側接着領域１４よりも前後方向ｙの長さが長いことが好ましい。
【００６５】
前側接着領域１４は中間接着領域１６と接して設けられてもよく、前後方向ｙに離間して設けられてもよい。後側接着領域１５も中間接着領域１６と接して設けられてもよく、前後方向ｙに離間して設けられてもよい。前側接着領域１４が中間接着領域１６と前後方向ｙに離間して設けられる場合、前側接着領域１４と中間接着領域１６の間には前側非接着部１７が形成されることとなる。同様に、後側接着領域１５が中間接着領域１６と前後方向ｙに離間して設けられる場合、後側接着領域１５と中間接着領域１６の間には後側非接着部１８が形成されることとなる。
【００６６】
前側脚部弾性部材２２Ｆと後側脚部弾性部材２２Ｂは、中間接着領域１６で股部を断続的に横断して設けられることが好ましい。なお、それ以外の部分では、前側脚部弾性部材２２Ｆと後側脚部弾性部材２２Ｂは連続的に設けられることが好ましい。このように前側脚部弾性部材２２Ｆと後側脚部弾性部材２２Ｂが設けられれば、吸収性本体７が前側脚部弾性部材２２Ｆと後側脚部弾性部材２２Ｂの収縮力によって歪みにくくなり、吸収性本体７の着用者の股間でのフィット性を高めることができる。脚部弾性部材２２を断続的に設ける場合は、脚部弾性部材２２を内側シート５および／または外側シート６に接着固定した後、脚部弾性部材２２をカッター等で切断すればよい。このようにすることで、脚部弾性部材２２を製造上簡単に断続的に設けることができ、また脚部弾性部材２２が断続的に設けられた部分で、弾性部材の収縮力を実質的に失わせることができる。
【００６７】
前側脚部弾性部材２２Ｆと後側脚部弾性部材２２Ｂは、図２および図４に示すように、股部Ｒにおいて前後方向ｙに互いに離間して設けられてもよく、図面には示されていないが、前側脚部弾性部材２２Ｆと後側脚部弾性部材２２Ｂが互いに接していたり交差して設けられてもよい。なお、前側脚部弾性部材２２Ｆと後側脚部弾性部材２２Ｂが股部Ｒにおいて前後方向ｙに互いに離間して設けられる場合は、図５に示すように、中間接着領域１６が前側脚部弾性部材２２Ｆと後側脚部弾性部材２２Ｂの間で前後方向ｙに断続的に設けられ、内側シート５と外側シート６とが接着されない中間非接着部１９が幅方向ｘに延びるように形成されていてもよい。このように中間接着領域１６に中間非接着部１９が形成されることにより、外装部材２の股部Ｒでの通気性を高めることができる。
【００６８】
なお図４では、前後方向ｙに延びる前側非接着部１７と前後方向ｙに延びる後側非接着部１８が、吸収性本体７と重なる部分でそれぞれ１つずつ設けられていたが、図５では、前後方向ｙに延びる前側非接着部１７と前後方向ｙに延びる後側非接着部１８が、吸収性本体７と重なる部分で、幅方向ｘに並んで設けられている。このように、前後方向ｙに延びる前側非接着部１７と前後方向ｙに延びる後側非接着部１８は、吸収性本体７と重なる部分で１つのみ設けられてもよく、２つ以上設けられてもよい。また図面には示されていないが、前後方向ｙに延びる前側非接着部１７と前後方向ｙに延びる後側非接着部１８は、吸収性本体７と重ならない部分に設けられていてもよい。
【００６９】
幅方向ｘに延びる中間非接着部１９は、２ｍｍ以上１０ｍｍ以下の幅で形成されていることが好ましい。当該幅は、３ｍｍ以上がより好ましく、４ｍｍ以上がさらに好ましく、また８ｍｍ以下がより好ましく、７ｍｍ以下がさらに好ましい。これにより外装部材２の股部Ｒでの通気性を高めるとともに、前側脚部弾性部材２２Ｆと後側脚部弾性部材２２Ｂを中間接着領域１６に接着固定しやすくなる。
【００７０】
吸収性本体７は、外装部材２の肌面側の少なくとも股部Ｒに設けられ、さらに前側胴部Ｐおよび／または後側胴部Ｑに延在していることが好ましい。吸収性本体７は、例えば略砂時計形に形成されたり、略長方形に形成されればよい。
【００７１】
吸収性本体７の外装部材２への接着領域（以下、「吸収性本体接着領域」と称する）は、吸収性本体７の外面側の全面に設けられてもよく、一部のみに設けられてもよい。なお、吸収性本体接着領域は、前後方向ｙに延びる前側非接着部１７や前後方向ｙに延びる後側非接着部１８との関係から、次のように設けられることが好ましい。すなわち、図６や図７に示すように、吸収性本体７の外面側に吸収性本体接着領域２０が部分的に設けられ、吸収性本体７が外装部材２に接着されない吸収性本体非接着部２１が、前側非接着部１７および／または後側非接着部１８と重なって、前後方向ｙに延びるように形成されることが好ましい。図６および図７では、吸収性本体７の外縁が一点鎖線で示され、吸収性本体接着領域２０がクロスハッチングで示され、外装部材２の前側接着領域１４、中間接着領域１６、後側接着領域１５の外縁が二点鎖線で示されている。図６には、図４に示した外装部材２に吸収性本体接着領域２０を形成した例が示されており、図７には、図５に示した外装部材２に吸収性本体接着領域２０を形成した例が示されている。
【００７２】
図６では、吸収性本体接着領域２０が幅方向ｘに並んで複数設けられ、幅方向ｘに並んで設けられた吸収性本体接着領域２０の間に吸収性本体非接着部２１が前側非接着部１７と後側非接着部１８と重なって設けられている。図７では、吸収性本体接着領域２０の幅方向ｘの両側に、吸収性本体７の幅方向ｘの両側縁を含んで吸収性本体非接着部２１が設けられ、吸収性本体非接着部２１が前側非接着部１７と後側非接着部１８と重なって設けられている。このように、吸収性本体非接着部２１が前側非接着部１７および／または後側非接着部１８と重なって設けられることにより、おむつ内部に溜まった湿気がおむつの外により排出されやすくなる。
【００７３】
吸収性本体接着領域２０は、前後方向ｙに対して連続的に設けられても断続的に設けられてもよいが、連続的に設けられることが好ましい。吸収性本体接着領域２０はまた、吸収性本体７が安定して外装部材２に固定されるようにする点から、吸収性本体７の前後方向ｙにおいて広い範囲に設けられることが好ましい。例えば、吸収性本体接着領域２０の前後方向ｙの長さ（複数ある場合はその合計長さ）は、吸収性本体７の前後方向ｙの長さの７０％以上であることが好ましく、８０％以上がより好ましく、９０％以上がさらに好ましい。
【００７４】
吸収性本体接着領域２０は、幅方向ｘに対して、連続的に設けられても断続的に設けられてもよい。図６に示すように、吸収性本体接着領域２０が幅方向ｘに対して断続的に設けられる場合、隣接する吸収性本体接着領域２０の間に吸収性本体７が外装部材２と接着されない吸収性本体非接着部２１が形成される。この場合、吸収性本体接着領域２０は、幅方向ｘに２以上５以下並んで設けられることが好ましく、４以下がより好ましく、３以下がさらに好ましい。
【００７５】
吸収性本体接着領域２０が幅方向ｘに対して断続的に設けられる場合、吸収性本体接着領域２０の幅方向ｘの長さ（複数の合計長さ）は、吸収性本体７の幅方向ｘの長さの１５％以上が好ましく、２０％以上がより好ましく、３０％以上がさらに好ましく、また９０％以下が好ましく、８０％以下がより好ましく、７０％以下がさらに好ましく、６０％以下がさらにより好ましい。吸収性本体接着領域２０が幅方向ｘに対して連続的に設けられる場合、吸収性本体接着領域２０の幅方向ｘの長さは、吸収性本体７の幅方向ｘの長さの６０％以上が好ましく、７０％以上がより好ましく、８０％以上がさらに好ましい。
【００７６】
吸収性本体接着領域２０が幅方向ｘと前後方向ｙに対して連続的に設けられる場合、吸収性本体接着領域２０は略矩形状に設けられることが好ましい。吸収性本体接着領域２０が幅方向ｘおよび／または前後方向ｙに対して断続的に設けられる場合は、略矩形状の接着領域が幅方向ｘおよび／または前後方向ｙに並んで配置されることにより、吸収性本体接着領域２０が形成されることが好ましい。
【００７７】
吸収性本体非接着部２１が前後方向ｙに延びる前側非接着部１７または前後方向ｙに延びる後側非接着部１８と重なる部分の幅方向ｘの長さ（複数ある場合はその合計長さ）は、吸収性本体７の幅方向ｘの長さの１０％以上が好ましく、１５％以上がより好ましく、また８０％以下が好ましく、７０％以下がより好ましい。
【００７８】
前側接着領域１４、中間接着領域１６、後側接着領域１５、吸収性本体接着領域２０を形成する接着剤としては、ホットメルト接着剤を用いることが製造上簡便である。ホットメルト接着剤としては、例えば、天然ゴム系、ブチルゴム系、ポリイソプレン等のゴム系接着剤や；スチレン−イソプレン−スチレンブロック共重合体（ＳＩＳ）、スチレン−ブタジエン−スチレンブロック共重合体（ＳＢＳ）、スチレン−エチレン−ブタジエン−スチレンブロック共重合体（ＳＥＢＳ）、スチレン−エチレン−プロピレン−スチレンブロック共重合体（ＳＥＰＳ）等のスチレン系エラストマーをベースポリマーとして用いることが好ましい。また、ベースポリマーに、エチレン・酢酸ビニルコポリマー（ＥＶＡ）；ポリエステル；アクリル系エラストマー；ポリオレフィン系エラストマー等を配合して、粘着性や流動性を調節してもよい。ポリオレフィン系エラストマーの一種として、エチレン・プロピレンコポリマー等のアモルファスポリアルファオレフィン（ＡＰＡＯ）を用いることも好ましい。
【００７９】
各接着領域は、接着剤が全面塗布されてもよいし、接着剤が網状や所定パターンの線状や散点状に塗布されてもよい。接着剤の塗布方法としては、例えば、カーテンスプレー法、オメガコーティング法、スパイラルコーティング法、パターンコート等を用いることができる。
【００８０】
各接着領域を形成する接着剤は、互いに同じであっても異なっていてもよい。なお、使い捨ておむつ１の着用感を向上させる点から、外装部材２は股部Ｒにおいて軟らかく形成されていることが好ましく、このような観点から、前側接着領域１４および／または後側接着領域１５は中間接着領域１６よりも剛軟度が高いことが好ましい。例えば、中間接着領域１６の単位面積当たりの接着剤塗布量は、前側接着領域１４の単位面積当たりの塗布量および／または後側接着領域１５の単位面積当たりの塗布量よりも少ないことが好ましい。あるいは、中間接着領域１６を形成する接着剤は、前側接着領域１４を形成する接着剤および／または後側接着領域１５を形成する接着剤よりも凝集力が低いものを用いることが好ましい。
【符号の説明】
【００８１】
１：使い捨ておむつ
２：外装部材
３：ウェスト開口部
４：脚開口部
５：内側シート
６：外側シート
７：吸収性本体
８：トップシート
９：バックシート
１０：吸収体
１４：前側接着領域
１５：後側接着領域
１６：中間接着領域
１７：前側非接着部
１８：後側非接着部
１９：中間非接着部
２０：吸収性本体接着領域
２１：吸収性本体非接着部
２２：脚部弾性部材、２２Ｆ：前側脚部弾性部材、２２Ｂ：後側脚部弾性部材
２３：胴部弾性部材
２４：腰部弾性部材
Ｐ：前側胴部
Ｑ：後側胴部
Ｒ：股部
【図１】
2020058697.tif 000003
【図２】
2020058697.tif 000004
【図３】
2020058697.tif 000005
【図４】
2020058697.tif 000006
【図５】
2020058697.tif 000007
【図６】
2020058697.tif 000008
【図７】
2020058697.tif 000009